(57)【要約】【課題】シンバルスタンドにシンバルを確実に保持することのできるシンバルホルダ、及びそのシンバルホルダを備えたシンバルスタンドを提供することにある。【解決手段】シンバルホルダ１０は、挿通孔１３を有するホルダ本体１１と、一対の第１及び第２係合部材２０ａ，２０ｂと、一対の第１及び第２圧縮コイルばね４０ａ，４０ｂとを備えている。第１及び第２係合部材２０ａ，２０ｂは、第１及び第２圧縮コイルばね４０ａ，４０ｂにより、第１及び第２ナット部２１ａ，２１ｂを接近させてそれらをボルトに係合させる向きに付勢されている。一方、第１及び第２圧縮コイルばね４０ａ，４０ｂの付勢力に抗して、第１及び第２ボタン部２２ａ，２２ｂを押圧操作することにより、第１及び第２ナット部２１ａ，２１ｂとボルトとの係合は解除される。【選択図】図３
2010276786.tif 000002
【特許請求の範囲】
【請求項１】
シンバルを支持するリテーナとの間にシンバルを締め付けて保持するためのシンバルホルダであって、前記リテーナの上端から突出したボルトに螺着されて締め付けられることにより前記シンバルが保持されるシンバルホルダにおいて、
前記ボルトが挿通される挿通孔を有するホルダ本体と、
前記ホルダ本体に設けられ、前記シンバルを着脱するときに操作される一対の第１及び第２操作ボタンと、
前記ホルダ本体内に移動可能に支持され、前記ボルトと係合する一対の第１及び第２分割ナットと、
前記両分割ナットを付勢する少なくとも一つの付勢手段とを備え、
前記付勢手段の付勢力により前記両分割ナットが接近して前記ボルトに係合され、前記両操作ボタンの操作により前記両分割ナットが離間して前記ボルトに対する係合が解除されることを特徴とするシンバルホルダ。
【請求項２】
請求項１記載のシンバルホルダにおいて、
前記挿通孔の内径は、前記ボルトの外径の１〜１１／１０の範囲に設定されていることを特徴とするシンバルホルダ。
【請求項３】
請求項１又は２記載のシンバルホルダにおいて、
前記第１及び第２分割ナットは、前記両分割ナットの分割面を接触させることなく前記ボルトに係合されることを特徴とするシンバルホルダ。
【請求項４】
請求項１〜３のいずれか一項に記載のシンバルホルダは、更に、
前記ホルダ本体は上面及び下面を含み、前記上面及び前記下面のうち少なくとも一方には、前記ボルトが挿通される筒状の突出部が設けられているを特徴とするシンバルホルダ。
【請求項５】
請求項４記載のシンバルホルダにおいて、
前記シンバルホルダは、前記リテーナとの間に緩衝部材を介装させて前記ボルトに締め付けられ、前記ホルダ本体の上面を上向きにして締め付けたときと、前記上面を下向きにして締め付けたときとで、前記シンバルの締付圧力が異なることを特徴とするシンバルホルダ。
【請求項６】
請求項５記載のシンバルホルダにおいて、
前記ホルダ本体の上面及び下面の一方にのみ突出部が設けられ、前記突出部が設けられた面を下向きにして締め付けることにより、前記リテーナの上端に前記突出部の先端が当接されて、前記ボルトに対するシンバルホルダの締付量が規制されることを特徴とするシンバルホルダ。
【請求項７】
請求項１〜６のいずれか一項に記載のシンバルホルダにおいて、
前記第１分割ナットは、前記第１操作ボタンに一体形成されることにより第１係合部材として形成され、前記第２分割ナットは、前記第２操作ボタンに一体形成されることにより第２係合部材として形成されていることを特徴とするシンバルホルダ。
【請求項８】
請求項７記載のシンバルホルダにおいて、
前記第１及び第２係合部材は、前記第１分割ナットと前記第２操作ボタンとの間及び前記第２分割ナットと前記第１操作ボタンとの間の少なくともいずれか一方に付勢手段を配置した状態で互いに組み付けられていることを特徴とするシンバルホルダ。
【請求項９】
請求項７又は８記載のシンバルホルダにおいて、
前記第１及び第２係合部材はいずれも同一形状及び同一寸法を有していることを特徴とするシンバルホルダ。
【請求項１０】
請求項７〜９のいずれか一項に記載のシンバルホルダは、更に、
前記ホルダ本体から抜けないように前記第１及び第２係合部材を保持するための抜け防止部材を備えることを特徴とするシンバルホルダ。
【請求項１１】
請求項１〜１０のいずれか一項に記載のシンバルホルダにおいて、
前記ホルダ本体、前記第１及び第２分割ナット、前記第１及び第２操作ボタンはいずれも樹脂からなることを特徴とするシンバルホルダ。
【請求項１２】
先端にボルトを有するスタンド本体と、前記スタンド本体の上端にシンバルを保持するためのシンバルホルダとを備え、前記ボルトに螺着されたシンバルホルダを締め付けることにより前記シンバルが前記スタンド本体に保持されるシンバルスタンドにおいて、
前記シンバルホルダは、
前記ボルトが挿通される挿通孔を有するホルダ本体と、
前記ホルダ本体に設けられ、前記シンバルを着脱するときに操作される一対の第１及び第２操作ボタンと、
前記ホルダ本体内に移動可能に支持され、前記ボルトと係合する一対の第１及び第２分割ナットと、
前記両分割ナットを付勢する少なくとも一つの付勢手段とを備え、
前記付勢手段の付勢力により前記両分割ナットが接近して前記ボルトに係合され、前記両操作ボタンの操作により前記両分割ナットが離間して前記ボルトに対する係合が解除されることを特徴とするシンバルスタンド。
【発明の詳細な説明】
【技術分野】
【０００１】
本発明は、シンバルスタンドにシンバルを保持するためのシンバルホルダ、及びシンバルホルダを備えたシンバルスタンドに関する。
【背景技術】
【０００２】
シンバルスタンドは、スタンド本体と、スタンド本体の上端にシンバルを保持するためのシンバルホルダとを備えている。シンバルホルダとして、例えば、特許文献１に開示されるようなものが知られている。同文献に開示のシンバルホルダは、スタンド本体の上端に取着される支持部材と、支持部材のボルトに取着されるリテーナと、ボルトに螺着されるナットとを備えている。このシンバルホルダの場合、スタンド本体にシンバルを着脱するため、ボルトに螺着されたナットを締め付けたり、ナットを緩めたりする等の操作が必要となる。こうしたナットの着脱を容易にするため、以下のような構成が提案されている。
【０００３】
特許文献２は、ボルトに係合する一対のスリーブ部材と、両スリーブ部材を付勢するコイルスプリングとを備えたシンバルホルダを開示している。特許文献３は、ホルダ本体と、ナット及び操作ボタンを一体形成したナット部材と、ナット部材を付勢する圧縮コイルばねとを備えたシンバルホルダを開示している。また、特許文献４は、ロック孔を有するホルダ本体と、ホルダ本体に取着された一対の回動部材とを備えた打楽器用ホルダを開示している。この打楽器用ホルダでは、各回動部材のカム面により、ロック孔の内周面がロック孔の軸線に対し接近するように変形させられる。これにより、ロック孔の内周面のネジがボルトの外周面のネジに係合されるため、打楽器用ホルダがボルトに装着される。
【０００４】
しかしながら、特許文献２に開示のシンバルホルダは、シンバルが叩打されて揺動すると、スリーブ部材がシンバルと共に揺動してボルトから外れ、シンバルスタンドにシンバルを保持できなくなる。また、特許文献３に開示のシンバルホルダによれば、ボルトに係合するナット部材を一つしか備えていないため、演奏中にスティックがボタンに触れると、ボルトに対するナット部材の係合が解除されてしまい、シンバルスタンドにシンバルを保持できなくなる。また、特許文献２と同様に、シンバルが叩打されて揺動すると、シンバルホルダがシンバルと共に揺動してボルトから外れる虞もある。更には、ボルトに対する締付強度を確保するために金属製のナット部材を用いる必要があり、そのため、部品コストが上昇し、安価に製造できないといった問題もある。また、特許文献４に開示の打楽器用ホルダによれば、ホルダ本体に回動部材をロックする必要となり、その分、ボルトに対してホルダを着脱するための操作が面倒になる。また、ボルトとロック孔のねじとが正しく係合されていなくても、回動部材は、強制的に回動させることでホルダ本体にロックされてしまう。これにより、ロック孔のねじが潰れてしまい、製品寿命が短くなる。
【先行技術文献】
【特許文献】
【０００５】
【特許文献１】実用新案登録第３０６９３４８号公報
【特許文献２】米国特許第４９６００２８号明細書
【特許文献３】米国特許第５７８５４８０号明細書
【特許文献４】米国特許第６８８４０１５号明細書
【発明の概要】
【発明が解決しようとする課題】
【０００６】
本発明の目的は、シンバルスタンドにシンバルを確実に保持することのできるシンバルホルダ、及びそのシンバルホルダを備えたシンバルスタンドを提供することにある。
【課題を解決するための手段】
【０００７】
上記の目的を達成するために、請求項１に記載の発明は、シンバルを支持するリテーナとの間にシンバルを締め付けて保持するためのシンバルホルダであって、リテーナの上端から突出したボルトに螺着されて締め付けられることによりシンバルが保持されるシンバルホルダにおいて、ボルトが挿通される挿通孔を有するホルダ本体と、ホルダ本体に設けられ、シンバルを着脱するときに操作される一対の第１及び第２操作ボタンと、ホルダ本体内に移動可能に支持され、ボルトと係合する一対の第１及び第２分割ナットと、両分割ナットを付勢する少なくとも一つの付勢手段とを備え、付勢手段の付勢力により両分割ナットが接近してボルトに係合され、両操作ボタンの操作により両分割ナットが離間してボルトに対する係合が解除されることを要旨とする。
【０００８】
この構成によれば、ボルトがホルダ本体の挿通孔に挿通されると共に、ホルダ本体内においては、付勢手段の付勢力により両分割ナットが接近してボルトに係合される。このため、シンバルが叩打されて揺動しても、両分割ナットが開きボルトから外れることを防止することができる。また、両操作ボタンの操作により、両分割ナットが離間してボルトとの係合が解除される。このため、演奏中にスティックが一方の操作ボタンに触れたとしても、両方の操作ボタンが操作されない限り、両分割ナットがボルトから外れることもない。よって、ボルトからシンバルホルダが外れ難くなり、シンバルスタンドにシンバルを確実に保持することができる。
【０００９】
請求項２に記載の発明は、挿通孔の内径は、ボルトの外径の１〜１１／１０の範囲に設定されていることを要旨とする。
この構成によれば、ボルトの挿通を許容する範囲内で、挿通孔の内面とボルトとの間のクリアランスを極力小さくすることができる。これにより、シンバルが叩打されて揺動しても、ホルダ本体に生じるがたを抑制することができ、ひいては、両分割ナットが開きボルトから外れることを一層防止することができる。
【００１０】
請求項３に記載の発明は、請求項１又は２記載の発明において、第１及び第２分割ナットは、両分割ナットの分割面を接触させることなくボルトに係合されることを要旨とする。
【００１１】
この構成によれば、第１及び第２分割ナットによるボルトへの係合が、相手側の分割ナットにより規制されることはない。これにより、両分割ナットとボルトとの係合力を高めることができ、ボルトに対する締付強度を向上させることができる。よって、演奏時にシンバルがボルトを中心に回転しても、シンバルと共にシンバルホルダが回転しないため、ボルトに締め付けられた状態から緩まないようにシンバルホルダを保持することができる。
【００１２】
請求項４に記載の発明は、請求項１〜３のいずれか一項に記載の発明において、ホルダ本体は上面及び下面を含み、上面及び下面のうち少なくとも一方には、ボルトが挿通される筒状の突出部が設けられていることを要旨とする。
【００１３】
この構成によれば、シンバルホルダは、筒状の突出部にボルトを挿通させた状態で締め付けることができる。この状態で、ボルトの外周面は突出部により隠蔽されているため、シンバルが叩打されて揺動したときに、シンバルの取付孔の内周面とボルトの外周面とが互いに擦れ合うこともない。このため、シンバルの取付孔の内周面がボルトのネジ山によって削られることもない。
【００１４】
請求項５に記載の発明は、請求項４記載の発明において、シンバルホルダは、リテーナとの間に緩衝部材を介装させてボルトに締め付けられ、ホルダ本体の上面を上向きにして締め付けたときと、上面を下向きにして締め付けたときとで、シンバルの締付圧力が異なることを要旨とする。
【００１５】
この構成によれば、ホルダ本体の上面を上向きにして締め付けたときと、上面を下向きにして締め付けたときとで、シンバルホルダ及びリテーナにより緩衝部材が押し潰される量を異ならせることができ、それに応じて、シンバルの締付圧力を異ならせることができる。従って、演奏者の好みに応じて、シンバルの締付圧力を選択することにより、２種類のシンバルの音色を選択することができる。
【００１６】
請求項６に記載の発明は、請求項５記載の発明において、ホルダ本体の上面及び下面の一方にのみ突出部が設けられ、突出部が設けられた面を下向きにして締め付けることにより、リテーナの上端に突出部の先端が当接されて、ボルトに対するシンバルホルダの締付量が規制されることを要旨とする。
【００１７】
この構成によれば、突出部が設けられた面を下向きにして締め付けることにより、リテーナの上端に突出部の先端が当接されて、ボルトに対するシンバルホルダの締付量が規制される。一方、突出部が設けられていない面を下向きにして締め付けることにより、シンバルホルダは、ホルダ本体の上面又は下面をリテーナの上端に当接させるまで締め付けられる。このようにして、演奏者は、シンバルホルダを上下逆に締め付けることにより、シンバルの締付圧力を選択することができ、シンバルの音色を選択することができる。また、この構成によれば、シンバルの締付圧力を選択可能にするための構成として、ホルダ本体に設けられた突出部を利用しているため、新たに別の部品を追加することもない。よって、部品点数を増加させずに、シンバルの締付圧力を選択可能なシンバルホルダを実現することができる。
【００１８】
請求項７に記載の発明は、請求項１〜６のいずれか一項に記載の発明において、第１分割ナットは、第１操作ボタンに一体形成されることにより第１係合部材として形成され、第２分割ナットは、第２操作ボタンに一体形成されることにより第２係合部材として形成されていることを要旨とする。
【００１９】
この構成によれば、第１分割ナットと第１操作ボタンとを一体形成し、第２分割ナットと第２操作ボタンとを一体形成することにより、シンバルホルダの部品点数を一層少なくすることができる。よって、製造コストの低減に寄与することができる。
【００２０】
請求項８に記載の発明は、請求項７記載の発明において、第１及び第２係合部材は、第１分割ナットと第２操作ボタンとの間及び第２分割ナットと第１操作ボタンとの間の少なくともいずれか一方に付勢手段を配置した状態で互いに組み付けられていることを要旨とする。
【００２１】
この構成によれば、１つ又は２つの付勢手段を用いて両分割ナットをボルトに係合させる構成を実現することができる。例えば、１つの付勢手段を用いる構成によれば、２つの付勢手段を用いる構成と比較して部品点数が少ないため、製造コストの低減に一層寄与することもできる。
【００２２】
請求項９に記載の発明は、請求項７又は８に記載の発明において、第１及び第２係合部材はいずれも同一形状及び同一寸法を有していることを要旨とする。
この構成によれば、第１及び第２係合部材を成形するための型を共通化することができ、また、第１係合部材と第２係合部材とを間違えて組み付けることもない。
【００２３】
請求項１０に記載の発明は、請求項７〜９のいずれか一項に記載の発明において、ホルダ本体から抜けないように第１及び第２係合部材を保持するための抜け防止部材を備えることを要旨とする。
【００２４】
この構成によれば、抜け防止部材によって、ホルダ本体から抜けないように第１及び第２係合部材を保持することができる。
請求項１１に記載の発明は、請求項１〜１０のいずれか一項に記載の発明において、ホルダ本体、第１及び第２分割ナット、及び第１及び第２操作ボタンはいずれも樹脂からなることを要旨とする。
【００２５】
この構成によれば、シンバルホルダを構成する多くの部品が樹脂からなるため、シンバルホルダの軽量化や製造コストの低減等に寄与することができる。
請求項１２に記載の発明は、先端にボルトを有するスタンド本体と、スタンド本体の上端にシンバルを保持するためのシンバルホルダとを備え、ボルトに螺着されたシンバルホルダを締め付けることによりシンバルがスタンド本体に保持されるシンバルスタンドにおいて、シンバルホルダは、ボルトが挿通される挿通孔を有するホルダ本体と、ホルダ本体に設けられ、シンバルを着脱するときに操作される一対の第１及び第２操作ボタンと、ホルダ本体内に移動可能に支持され、ボルトと係合する一対の第１及び第２分割ナットと、両分割ナットを付勢する少なくとも一つの付勢手段とを備え、付勢手段の付勢力により両分割ナットが接近してボルトに係合され、両操作ボタンの操作により両分割ナットが離間してボルトに対する係合が解除されることを要旨とする。
【００２６】
この構成によれば、請求項１と同等の作用効果が得られるシンバルスタンドを提供することができる。
【発明の効果】
【００２７】
本発明によれば、シンバルスタンドにシンバルを確実に保持することのできるシンバルホルダ、及びそのシンバルホルダを備えたシンバルスタンドを提供することができる。
【図面の簡単な説明】
【００２８】
【図１】本発明の一実施形態に係るシンバルスタンドの斜視図。
【図２】本発明の一実施形態に係るシンバルホルダの斜視図。
【図３】図２の３−３線に沿った断面図。
【図４】（ａ）は図２の４−４線に沿った断面図、（ｂ）は（ａ）の状態から第１及び第２ボタン部を押圧操作したときの断面図。
【図５】シンバルホルダの分解斜視図。
【図６】（ａ）はシンバルホルダがボルトに装着される直前の状態を示す部分断面図、（ｂ）はシンバルホルダがボルトに螺着された状態を示す部分断面図、（ｃ）はシンバルホルダがボルトに締め付けられた状態を示す部分断面図。
【図７】（ａ）は突出部を上向きしてボルトに締め付けられたシンバルホルダの部分側面図、（ｂ）は突出部を下向きにしてボルトに締め付けられたシンバルホルダの部分側面図。
【図８】別例のシンバルホルダの縦断面図。
【図９】別例のシンバルホルダの斜視図。
【図１０】別例のシンバルホルダの横断面図。
【発明を実施するための形態】
【００２９】
以下、本発明に係るシンバルホルダ及びシンバルスタンドの一実施形態について図１〜図７を参照して説明する。
図１に示すように、シンバルスタンド１は、三脚を含むスタンド本体２、ティルタ３、及びシンバルホルダ１０を備えている。ティルタ３は、スタンド本体２の上端に回動可能に支持されている。ティルタ３の上端には、シンバルホルダ１０が螺着されるボルト５が設けられている。また、ティルタ３には、シンバル４を下方から支持するためのリテーナ６が装着されている。シンバル４は、ボルト５に螺着されたシンバルホルダ１０を締め付けることによりスタンド本体２の上端に保持される。尚、シンバル４の振動を緩衝するため、シンバル４とリテーナ６との間、及びシンバル４とシンバルホルダ１０との間には、フェルト等からなる緩衝部材７がそれぞれ介装されている。
【００３０】
図２、図３及び図５に示すように、シンバルホルダ１０は、ホルダ本体１１と、一対の第１及び第２係合部材２０ａ，２０ｂと、一対の第１及び第２付勢手段としての第１及び第２圧縮コイルばね４０ａ，４０ｂと、抜け防止部材としてのリング５０とを備えている。ホルダ本体１１、第１及び第２係合部材２０ａ，２０ｂ、及びリング５０は、いずれも樹脂材料により形成されている。樹脂材料として、具体的には、ナイロン樹脂、ポリエチレン樹脂、ポリカーボネート樹脂、及びポリアセタール樹脂等が挙げられる。
【００３１】
ホルダ本体１１は、上下一対の面１２ａ，１２ｂを含む円筒部１２と、円筒部１２の周面から横方向に突出した一対の四角筒部１４とを備えている。円筒部１２の中央には、ボルト５が挿通される挿通孔１３が設けられている。挿通孔１３の内径は、ボルト５の外径の１〜１１／１０の範囲に設定されている。
【００３２】
円筒部１２の下面１２ｂには、ボルト５が挿通される筒状の突出部１５が設けられている。突出部１５は、挿通孔１３と同軸の円筒状に形成されている。突出部１５は、円筒部１２よりも小さい径を有している。また、円筒部１２の下面１２ｂには、円環状の溝１７が形成されている。溝１７は、突出部１５の基端の外周縁に沿って延びている。
【００３３】
各四角筒部１４には、断面長方形状の開口がそれぞれ設けられている。各四角筒部１４の開口は、挿通孔１３の軸線Ｃ１に対して対称にそれぞれ配置されている。ホルダ本体１１内には、両四角筒部１４の開口を連通すると共に挿通孔１３の軸線Ｃ１と直交する連通孔１８が設けられている。連通孔１８は、四角筒部１４の開口と同形状の断面を有する長孔からなる。
【００３４】
本実施形態において、第１係合部材２０ａは、第１分割ナットを第１操作ボタンと一体形成したものであり、第１分割ナットを第１ナット部２１ａとして含み、第１操作ボタンを第１ボタン部２２ａとして含む。また、第２係合部材２０ｂは、第２分割ナットを第２操作ボタンと一体形成したものであり、第２分割ナットを第２ナット部２１ｂとして含み、第２操作ボタンを第２ボタン部２２ｂとして含む。第１及び第２係合部材２０ａ，２０ｂはいずれも同一形状及び同一寸法を有している。
【００３５】
第１ナット部２１ａは、第１ボタン部２２ａと対向する面に、ボルト５に係合されるネジを有している。第１ナット部２１ａは、第１ボタン部２２ａと反対側の面に、第１圧縮コイルばね４０ａを収容するための第１収容穴２３ａを有している。また、第１ナット部２１ａの上面と下面とには、リング５０との係合に用いられる第１嵌合孔２４ａがそれぞれ設けられている。第１ボタン部２２ａは、第１ナット部２１ａと対向する面に、第２圧縮コイルばね４０ｂの端部を支持する第１支持凹部２５ａを有している。
【００３６】
同様に、第２ナット部２１ｂは、第２ボタン部２２ｂと対向する面に、ボルト５に係合されるネジを有している。第２ナット部２１ｂは、第２ボタン部２２ｂと反対側の面に、第２圧縮コイルばね４０ｂを収容するための第２収容穴２３ｂを有している。また、第２ナット部２１ｂの上面と下面とには、リング５０との係合に用いられる第２嵌合孔２４ｂがそれぞれ設けられている。第２ボタン部２２ｂは、第２ナット部２１ｂと対向する面に、第２圧縮コイルばね４０ｂの端部を支持する第２支持凹部２５ｂを有している。第１及び第２ナット部２１ａ，２１ｂの各ネジは、雌ネジをその軸線に沿って分割した分割ネジからなる。
【００３７】
第１ナット部２１ａと第１ボタン部２２ａとの間には、それらを繋ぐ一対の第１フレーム２８ａが設けられている。第１係合部材２０ａは、第１ナット部２１ａ、第１ボタン部２２ａ，及び一対の第１フレーム２８ａにより包囲された第１収納空間２９ａを有している。同様に、第２ナット部２１ｂと第２ボタン部２２ｂとの間には、それらを繋ぐ一対の第２フレーム２８ｂが設けられている。第２係合部材２０ｂは、第２ナット部２１ｂ、第２ボタン部２２ｂ，及び一対の第２フレーム２８ｂにより包囲された第２収納空間２９ｂを有している。第１係合部材２０ａの第１収納空間２９ａには、第２ナット部２１ｂ及び第２圧縮コイルばね４０ｂが収納される。また、第２係合部材２０ｂの第２収納空間２９ｂには、第１ナット部２１ａ及び第１圧縮コイルばね４０ａが収納される。
【００３８】
図３〜図５に示すように、第１及び第２係合部材２０ａ，２０ｂは、互いに対向する向きに配置されて一体に組み付けられている。両係合部材２０ａ，２０ｂを組み付けた状態で、第１圧縮コイルばね４０ａの第１端は第１収容穴２３ａに収容され、第１圧縮コイルばね４０ａの第２端は第２ボタン部２２ｂの第２支持凹部２５ｂに嵌合されている。また、第２圧縮コイルばね４０ｂの第１端は第２収容穴２３ｂに収容され、第２圧縮コイルばね４０ｂの第２端は第１ボタン部２２ａの第１支持凹部２５ａに嵌合されている。そして、第１圧縮コイルばね４０ａは、第１ナット部２１ａと第２ボタン部２２ｂとの間に圧縮されて支持され、第２圧縮コイルばね４０ｂは、第２ナット部２１ｂと第１ボタン部２２ａとの間に圧縮されて支持されている。即ち、第１圧縮コイルばね４０ａは、付勢力を蓄えた状態で第１ナット部２１ａと第２ボタン部２２ｂとによって支持され、第２圧縮コイルばね４０ｂは、付勢力を蓄えた状態で第２ナット部２１ｂと第１ボタン部２２ａとによって支持されている。
【００３９】
第１及び第２圧縮コイルばね４０ａ，４０ｂは、第１及び第２ナット部２１ａ，２１ｂを接近させる向き、即ち、両ナット部２１ａ，２１ｂをボルト５に係合させる向きに第１及び第２係合部材２０ａ，２０ｂを付勢している。一方、第１及び第２圧縮コイルばね４０ａ，４０ｂの付勢力に抗して、第１及び第２ボタン部２２ａ，２２ｂを押圧操作することにより、第１及び第２係合部材２０ａ，２０ｂは、第１及び第２ナット部２１ａ，２１ｂを離間させる向きにそれぞれ摺動する。これにより、第１及び第２ナット部２１ａ，２１ｂ間の空間２６が、両ナット部２１ａ，２１ｂが係合するボルト５の径よりも大きくなるまで拡げられる。
【００４０】
第１及び第２係合部材２０ａ，２０ｂは、上述したように組み付けられた状態でホルダ本体１１の連通孔１８に収容されている。第１及び第２係合部材２０ａ，２０ｂは、第１及び第２ナット部２１ａ，２１ｂ間の空間２６を挿通孔１３に一致させるようにして配置されている。ホルダ本体１１の溝１７には、リング５０が装着されている。リング５０の内周面には、一対のフック５１が設けられている。各フック５１は、リング５０の軸線に対して対称にそれぞれ配置されている。一対のフック５１は、第１及び第２ナット部２１ａ，２１ｂの各嵌合孔２４ａ，２４ｂにそれぞれ嵌合されている。これにより、第１及び第２係合部材２０ａ，２０ｂは、ホルダ本体１１内の所定の位置に組み付けられると共に、ホルダ本体１１から外へ抜け出ないように保持されている。
【００４１】
次に、上記のシンバルホルダ１０の使用方法について図４（ａ），（ｂ）、図６（ａ）〜（ｃ）、及び図７（ａ），（ｂ）を参照して説明する。
図６（ａ）に示すように、まず、ボルト５にシンバル４と緩衝部材７とを取り付けた後、シンバルホルダ１０をボルト５の上方に配置する。このとき、第１及び第２係合部材２０ａ，２０ｂは、第１及び第２圧縮コイルばね４０ａ，４０ｂにより、第１及び第２ナット部２１ａ，２１ｂを接近させる向きに付勢されている。このため、図４（ａ）に示すように、第１及び第２係合部材２０ａ，２０ｂは、第１及び第２ナット部２１ａ，２１ｂの各分割面２７ａ，２７ｂを接触させた状態でホルダ本体１１内に支持されている。
【００４２】
次に、図６（ｂ）に示すように、第１及び第２ボタン部２２ａ，２２ｂを指で摘みながら押圧操作する。これにより、第１及び第２係合部材２０ａ，２０ｂは、第１及び第２ナット部２１ａ，２１ｂを離間させる向きにホルダ本体１１内をそれぞれ摺動する。そして、図４（ｂ）に示すように、第１及び第２ナット部２１ａ，２１ｂ間の空間２６は、ボルト５の径よりも大きくなるまで拡げられる。なお、第１及び第２嵌合孔２４ａ，２４ｂの寸法は、リング５０のフック５１により第１及び第２係合部材２０ａ，２０ｂの摺動が規制されない寸法に設定されている。
【００４３】
続いて、第１及び第２ボタン部２２ａ，２２ｂを押圧操作したまま、ホルダ本体１１の挿通孔１３にボルト５を挿通し、適切な位置で、第１及び第２ボタン部２２ａ，２２ｂの押圧操作を解除する。これにより、ボルト５に第１及び第２ナット部２１ａ，２１ｂが係合されて、ボルト５にシンバルホルダ１０が螺着される。このとき、図４（ｂ）に示すように、第１及び第２ナット部２１ａ，２１ｂは、両ナット部２１ａ，２１ｂの分割面２７ａ，２７ｂを接触させることなくボルト５に係合される。
【００４４】
次に、図６（ｃ）に示すように、演奏者は、ボルト５に螺着されたシンバルホルダ１０を締め付ける。このとき、図７（ｂ）に示すように、シンバルホルダ１０は、突出部１５をリテーナ６の上端に当接させるまで締め付けられる。このように、円筒部１２の下面１２ｂを下向きにして締め付けた場合、突出部１５によって、ボルト５に対するシンバルホルダ１０の締付量が規制される。この場合、シンバルホルダ１０により緩衝部材７が押し潰される量は小さいため、シンバル４の締付圧力を比較的小さく設定することができる。
【００４５】
一方、図７（ａ）に示すように、円筒部１２の上面１２ａを下向きにして締め付けた場合、シンバルホルダ１０は、円筒部１２の上面１２ａを緩衝部材７に押圧させながら、上面１２ａがリテーナ６の上端に当接するまで締め付けられる。このため、シンバルホルダ１０は、図７（ｂ）に示す場合よりもシンバル４に近い位置にまで締め付けられる。この場合、シンバルホルダ１０により緩衝部材７が押し潰される量は大きいため、シンバル４の締付圧力を比較的高く設定することができる。尚、このとき、シンバル４を挟む一対の緩衝部材７はいずれも均等に、ほぼ同じ量だけ押し潰される。こうしてシンバルホルダ１０がボルト５に締め付けられることによって、シンバル４は、図１に示すように、スタンド本体２の上端に装着されて、保持される。
【００４６】
尚、上述した手順と逆の手順を行うことにより、スタンド本体２からシンバル４を取り外すことができる。具体的には、まず、ボルト５に締め付けられたシンバルホルダ１０の第１及び第２ボタン部２２ａ，２２ｂを指で摘みながら押圧操作する。これにより、第１及び第２ナット部２１ａ，２１ｂとボルト５との係合が解除される。そして、第１及び第２ボタン部２２ａ，２２ｂを押圧操作したまま、ボルト５からシンバルホルダ１０を引き抜くように取り外す。シンバルホルダ１０を取り外した後、緩衝部材７と共にスタンド本体２からシンバル４が取り外される。
【００４７】
本実施形態によれば、以下のような効果を得ることができる。
（１）シンバルホルダ１０は、挿通孔１３を有するホルダ本体１１と、一対の第１及び第２係合部材２０ａ，２０ｂと、一対の第１及び第２圧縮コイルばね４０ａ，４０ｂとを備えている。第１係合部材２０ａは、第１分割ナットを第１ナット部２１ａとして含み、第１操作ボタンを第１ボタン部２２ａとして含む。また、第２係合部材２０ｂは、第２分割ナットを第２ナット部２１ｂとして含み、第２操作ボタンを第２ボタン部２２ｂとして含む。
【００４８】
この構成によれば、ボルト５がホルダ本体１１の挿通孔１３に挿通されると共に、ホルダ本体１１内においては、第１及び第２圧縮コイルばね４０ａ，４０ｂの付勢力により両ナット部２１ａ，２１ｂが接近してボルト５に係合される。このため、シンバル４が叩打されて揺動しても、両ナット部２１ａ，２１ｂが開きボルト５から外れることを防止することができる。また、両ボタン部２２ａ，２２ｂの押圧操作により、両ナット部２１ａ，２１ｂが離間してボルト５との係合が解除される。このため、演奏中にスティックが一方のボタン部に触れたとしても、両方のボタン部２２ａ，２２ｂが押圧操作されない限り、両ナット部２１ａ，２１ｂがボルト５から外れることもない。よって、ボルト５からシンバルホルダ１０が外れ難くなり、シンバルスタンド１にシンバル４を確実に保持することができる。
【００４９】
（２）挿通孔１３の内径は、ボルト５の外径の１〜１１／１０の範囲に設定されている。この構成によれば、ボルト５の挿通を許容する範囲内で、挿通孔１３の内面とボルト５との間のクリアランスを極力小さくすることができる。これにより、シンバル４が叩打されて揺動しても、シンバルホルダ１０に生じるがたを抑制することができる。よって、両ナット部２１ａ，２１ｂが開きボルト５から外れることを一層防止することができる。
【００５０】
（３）第１及び第２ナット部２１ａ，２１ｂは、両ナット部２１ａ，２１ｂの分割面２７ａ，２７ｂを接触させることなくボルト５に係合される。この構成によれば、第１及び第２ナット部２１ａ，２１ｂによるボルト５への係合が、相手側のナット部により規制されることはない。これにより、両ナット部２１ａ，２１ｂとボルト５との係合力を高めることができ、ボルト５に対する締付強度を向上させることができる。よって、演奏時にシンバル４がボルト５を中心に回転しても、シンバル４と共にシンバルホルダ１０が回転しないため、ボルト５に締め付けられた状態から緩まないようにシンバルホルダ１０を保持することができる。
【００５１】
（４）円筒部１２の下面１２ｂには、ボルト５が挿通される筒状の突出部１５が設けられている。この構成によれば、シンバルホルダ１０は、筒状の突出部１５にボルトを挿通させた状態で締め付けることができる。この状態で、ボルト５の外周面は突出部１５により隠蔽されているため、シンバル４が叩打されて揺動したときに、シンバル４の取付孔の内周面とボルト５の外周面とが互いに擦れ合うこともない。このため、シンバル４の取付孔の内周面がボルト５のネジ山によって削られることもない。
【００５２】
（５）突出部１５が設けられた円筒部１２の下面１２ｂを下向きにして締め付けることにより、リテーナ６の上端に突出部１５の先端が当接されて、ボルト５に対するシンバルホルダ１０の締付量が規制される。一方、突出部１５が設けられていない円筒部１２の上面１２ａを下向きにして締め付けることにより、シンバルホルダ１０は、円筒部１２の上面１２ａをリテーナ６の上端に当接させるまで締め付けられる。このようにして、演奏者は、シンバルホルダ１０を上下逆に締め付けることにより、シンバル４の締付圧力を選択することができ、２種類のシンバルの音色を選択することができる。また、この構成によれば、シンバル４の締付圧力を選択可能にするための構成として、シンバル４の取付孔を保護する突出部１５を利用しているため、新たに別の部品を追加することもない。よって、部品点数を増加させずに、シンバル４の締付圧力を選択可能なシンバルホルダ１０を実現することができる。
【００５３】
（６）第１係合部材２０ａは、第１分割ナットを第１操作ボタンと一体形成したものであり、第２係合部材２０ｂは、第２分割ナットを第２操作ボタンと一体形成したものである。この構成によれば、シンバルホルダ１０の部品点数を一層少なくすることができる。よって、製造コストの低減に寄与することができる。
【００５４】
（７）第１及び第２係合部材２０ａ，２０ｂはいずれも同一形状及び同一寸法を有している。この構成によれば、第１及び第２係合部材２０ａ，２０ｂを成形するための型を共通化することができ、また、第１係合部材２０ａと第２係合部材２０ｂとを間違えて組み付けることもない。
【００５５】
（８）シンバルホルダ１０は、抜け防止部材としてのリング５０を備えている。この構成によれば、リング５０によって、ホルダ本体１１から抜けないように両係合部材２０ａ，２０ｂを保持することができる。
【００５６】
（９）ホルダ本体１１、第１及び第２係合部材２０ａ，２０ｂ、及びリング５０は、いずれも樹脂材料により形成されている。この構成によれば、シンバルホルダ１０を構成する多くの部品が樹脂からなるため、シンバルホルダ１０の軽量化や製造コストの低減等に寄与することができる。
【００５７】
（１０）シンバルスタンド１は、三脚を含むスタンド本体２、ティルタ３、及びシンバルホルダ１０を備えている。この構成によれば、上記の作用効果が得られるシンバルスタンド１を提供することができる。
【００５８】
なお、本実施形態は以下のように変更してもよい。
・本実施形態において、第１及び第２ナット部２１ａ，２１ｂは、両ナット部２１ａ，２１ｂの分割面２７ａ，２７ｂを接触させてボルト５に係合されてもよい。
【００５９】
・本実施形態において、円筒部１２の上面１２ａ及び下面１２ｂの両方に突出部１５を設けてもよい。この場合、上面１２ａ及び下面１２ｂの各面に設けられる突出部１５の高さを異ならせることにより、シンバルホルダを上下逆に締め付けることによって、シンバルの締付圧力を選択することができ、シンバルの音色を選択することができる。
【００６０】
また、ホルダ本体１１の円筒部１２から突出部１５を省略してもよい。この場合、シンバルホルダ１０の締め付けられる向きに関係なく、シンバルホルダ１０は、円筒部１２の上面１２ａをリテーナ６の上端に当接させるまで締め付けられる。
【００６１】
・本実施形態において、付勢手段として一対の第１及び第２圧縮コイルばね４０ａ，４０ｂを備えていたが、図８に示すシンバルホルダ８０のように、両圧縮コイルばね４０ａ，４０ｂのうちのいずれか一方を省略してもよい。この場合、図３に示す構成と比較して部品点数が少ないため、製造コストの低減に寄与することもできる。
【００６２】
・本実施形態において、リング５０を装着するための溝１７を、円筒部１２の上面１２ａに設けてもよく、また、円筒部１２の上面１２ａ及び下面１２ｂの両方に設けてもよい。
【００６３】
・本実施形態において、ホルダ本体１１、第１及び第２係合部材２０ａ，２０ｂ、及びリング５０を、必要に応じて、樹脂材料以外の材料、例えば金属や木材やセラミックス等により形成してもよい。
【００６４】
・本実施形態において、第１及び第２係合部材２０ａ，２０ｂに代えて、第１分割ナットと第１操作ボタンとを別々に形成し、第２分割ナットと第２操作ボタンとを別々に形成してもよい。例えば、図９及び図１０に示すシンバルホルダ９０によれば、第１分割ナット９１ａとホルダ本体９２との間に第１圧縮コイルばね９３ａが配置され、第２分割ナット９１ｂとホルダ本体９２との間に第２圧縮コイルばね９３ｂが配置されている。また、第１及び第２ボタン部９４ａ，９４ｂは、ホルダ本体９２の周壁における対向する位置にそれぞれ支持されている。第１及び第２分割ナット９１ａ，９１ｂの分割面９５ａ，９５ｂは、テーパ状に形成されている。そして、第１分割ナット９１ａの分割面９５ａと第２分割ナット９１ｂの分割面９５ｂとによってＶ溝が形成されている。第１及び第２ボタン部９４ａ，９４ｂは、Ｖ溝と略同じテーパ角度の先端を有する基部９７をそれぞれ有している。第１及び第２ボタン部９４ａ，９４ｂは、基部９７の先端をＶ溝に挿入した状態でそれぞれ支持されている。このシンバルホルダ９０によれば、第１及び第２ボタン部９４ａ，９４ｂを押圧操作すると、両ボタン部９４ａ，９４ｂの基部９７はＶ溝の内奥へと移動すると共に、第１及び第２分割ナット９１ａ，９１ｂは離間する向きにそれぞれ移動する。その結果、第１及び第２分割ナット９１ａ，９１ｂ間の空間９６が拡げられる。
【００６５】
・本実施形態において、シンバルホルダ１０は、シンバル４をシンバルスタンドに保持するものとして具体化されていたが、シンバル４をシンバルラックやシンバルアタッチメントに保持するものとして具体化してもよい。
【符号の説明】
【００６６】
Ｃ１…軸線、１…シンバルスタンド、２…スタンド本体、４…シンバル、５…ボルト、６…リテーナ、７…緩衝部材、１０…シンバルホルダ、１１…ホルダ本体、１２ａ…上面、１２ｂ…下面、１３…挿通孔、１５…突出部、２０ａ…第１係合部材、２０ｂ…第２係合部材、２１ａ…第１ナット部（第１分割ナット）、２１ｂ…第２ナット部（第２分割ナット）、２２ａ…第１ボタン部（第１操作ボタン）、２２ｂ…第２ボタン部（第２操作ボタン）、２７ａ，２７ｂ…分割面、４０ａ…第１圧縮コイルばね（第１付勢手段）、４０ｂ…第２圧縮コイルばね（第２付勢手段）、５０…リング（抜け防止部材）。
【図１】
2010276786.tif 000003
【図２】
2010276786.tif 000004
【図３】
2010276786.tif 000005
【図４】
2010276786.tif 000006
【図５】
2010276786.tif 000007
【図６】
2010276786.tif 000008
【図７】
2010276786.tif 000009
【図８】
2010276786.tif 000010
【図９】
2010276786.tif 000011
【図１０】
2010276786.tif 000012